(57)【要約】  【課題】  演奏者により演奏される演奏曲を評価する判定基準をより適切に更新すること。  【解決手段】  演奏用入力装置５の操作に基づいて演奏される演奏曲を見本曲と比較して絶対評価を生成する絶対評価部１７と、判定基準に基づいてその絶対評価から変換された出力評価を出力する評価出力部１８と、その絶対評価の統計結果に基づいて判定基準を自動的に更新する評価基準更新部１９とを備えている。  【選択図】  図１
2007078724.tif 000002
【特許請求の範囲】
【請求項１】
演奏用入力装置の操作に基づいて演奏される演奏曲を見本曲と比較して絶対評価を生成する絶対評価部と、
判定基準に基づいて前記絶対評価から変換された出力評価を出力する評価出力部と、
前記絶対評価の統計結果に基づいて前記判定基準を自動的に更新する評価基準更新部
とを具備する電子楽器。
【請求項２】
請求項１において、
複数判定基準を複数ユーザに対応付けて記憶装置に記録する判定基準データベースと、
設定用入力装置の操作に基づいて前記複数ユーザのうちから選択ユーザを選択する設定部とを更に具備し、
前記評価出力部は、前記判定基準データベースを参照して、前記複数判定基準のうちの前記選択ユーザに対応する前記判定基準に基づいて前記絶対評価を前記出力評価に変換する
電子楽器。
【請求項３】
請求項１において、
複数判定基準を複数見本曲に対応付けて記憶装置に記録する判定基準データベースと、
設定用入力装置の操作に基づいて前記複数見本曲のうちから前記見本曲を選択する設定部とを更に具備し、
前記評価出力部は、前記判定基準データベースを参照して、前記複数判定基準のうちの前記選択見本曲に対応する前記判定基準に基づいて前記絶対評価を前記出力評価に変換する
電子楽器。
【請求項４】
請求項１において、
複数判定基準を複数ユーザと複数見本曲との組に対応付けて記憶装置に記録する判定基準データベースと、
設定用入力装置の操作に基づいて前記複数ユーザのうちから選択ユーザを選択し、前記複数見本曲のうちから前記見本曲を選択する設定部とを更に具備し、
前記評価出力部は、前記判定基準データベースを参照して、前記複数判定基準のうちの前記選択ユーザと前記選択見本曲との組に対応する前記判定基準に基づいて前記絶対評価を前記出力評価に変換する
電子楽器。
【請求項５】
請求項１〜請求項４のいずれかにおいて、
前記出力評価は、項目に段階を対応付け、
前記項目の個数は、前記判定基準に基づいて増減する
電子楽器。
【請求項６】
請求項１〜請求項４のいずれかにおいて、
前記出力評価は、項目に段階を対応付け、
前記段階は、前記判定基準に基づいて異なる
電子楽器。
【請求項７】
請求項１〜請求項６のいずれかにおいて、
前記見本曲を自動演奏する見本曲演奏部
を更に具備する電子楽器。
【発明の詳細な説明】
【技術分野】
【０００１】
本発明は、電子楽器に関し、特に、演奏者により演奏される演奏曲を評価する電子楽器に関する。
【背景技術】
【０００２】
演奏者により演奏される演奏曲を評価する電子楽器が知られている。その演奏者は、その電子楽器を演奏し、その電子楽器は、その演奏された演奏曲と見本曲とを比較して、そのズレに基づいて良し悪しを評価する。その電子楽器は、判定基準が一定であるときに、初級者には難しく上級者には易しすぎて、練習にならないことがある。演奏者により演奏される演奏曲を評価する判定基準が適切に更新される電子楽器が望まれている。
【０００３】
特開２００４−１０１９５７号公報には、利用者の意欲を損なうことなくその動作を評価することができる動作評価装置が開示されている。その動作評価装置は、利用者が特定の期間内に行なうべき動作の特徴量を表す基準データを記憶する記憶手段と、前記特定の期間内に利用者が行なった動作の特徴量を表す動作データを取得するデータ取得手段と、前記基準データが表す特徴量と前記動作データが表す特徴量とを比較し、この比較結果に基づいて利用者の動作を評価する評価手段と、前記特定の期間内に前記評価手段による評価の基準を変更する評価制御手段とを具備することを特徴としている。
【０００４】
【特許文献１】特開２００４−１０１９５７号公報
【発明の開示】
【発明が解決しようとする課題】
【０００５】
本発明の課題は、演奏者により演奏される演奏曲を評価する判定基準がより適切に更新される電子楽器を提供することにある。
【課題を解決するための手段】
【０００６】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００７】
本発明による電子楽器は、演奏用入力装置（５）の操作に基づいて演奏される演奏曲を見本曲と比較して絶対評価を生成する絶対評価部（１７）と、判定基準に基づいてその絶対評価から変換された出力評価を出力する評価出力部（１８）と、その絶対評価の統計結果に基づいて判定基準を自動的に更新する評価基準更新部（１９）とを備えていることが好ましい。
【０００８】
本発明による電子楽器は、複数判定基準を複数ユーザに対応付けて記憶装置に記録する判定基準データベース（１２）と、設定用入力装置（６）の操作に基づいて複数ユーザのうちから選択ユーザを選択する設定部（１４）とをさらに備えていることが好ましい。このとき、評価出力部（１８）は、判定基準データベース（１２）を参照して、複数判定基準のうちの選択ユーザに対応する判定基準に基づいて絶対評価を出力評価に変換する。
【０００９】
本発明による電子楽器は、複数判定基準を複数見本曲に対応付けて記憶装置に記録する判定基準データベース（１２）と、設定用入力装置（６）の操作に基づいて複数見本曲のうちから見本曲を選択する設定部（１４）とさらに備えていることが好ましい。このとき、評価出力部（１８）は、判定基準データベース（１２）を参照して、複数判定基準のうちの選択見本曲に対応する判定基準に基づいて絶対評価を出力評価に変換する。
【００１０】
本発明による電子楽器は、複数判定基準を複数ユーザと複数見本曲との組に対応付けて記憶装置に記録する判定基準データベース（１２）と、設定用入力装置（６）の操作に基づいて複数ユーザのうちから選択ユーザを選択し、複数見本曲のうちから見本曲を選択する設定部（１４）とさらに備えていることが好ましい。このとき、評価出力部（１８）は、判定基準データベース（１２）を参照して、複数判定基準のうちの選択ユーザと選択見本曲との組に対応する判定基準に基づいて絶対評価を出力評価に変換する。
【００１１】
出力評価は、項目に段階を対応付けている。項目の個数は、判定基準に基づいて増減することが好ましい。または、段階は、判定基準に基づいて異なることが好ましい。
【００１２】
本発明による電子楽器は、見本曲を自動演奏する見本曲演奏部（１５）をさらに備えている。このとき、演奏者は、その自動演奏された見本曲を聞きながら、演奏曲を演奏することができ、好ましい。
【発明の効果】
【００１３】
本発明による電子楽器は、演奏者により演奏される演奏曲を評価する判定基準をより適切に更新することができる。
【発明を実施するための最良の形態】
【００１４】
図面を参照して、本発明による電子楽器の実施の形態を記載する。その電子楽器１は、図１に示されているように、電子楽器本体２が演奏用入力装置５と設定用入力装置６とスピーカ７とディスプレイ８とを備えている。演奏用入力装置５は、複数のスイッチから形成され、演奏者が電子楽器１を用いて楽曲を演奏するときに操作される。演奏用入力装置５としては、複数の鍵を備える鍵盤が例示される。その複数の鍵は、複数の白鍵と複数の黒鍵とから形成され、それぞれ、互いに異なる複数の楽音に対応している。設定用入力装置６は、複数のスイッチから形成されている。その複数のスイッチは、スタートボタンを含んでいる。設定用入力装置６としては、電子楽器本体２の上部に配置されるフロントパネルが例示される。スピーカ７は、電子楽器本体２により生成された電気信号を音に変換し、電子楽器本体２により生成された情報に基づいて音を出力する。ディスプレイ８は、表示面を備え、電子楽器本体２により生成される画面をその表示面に表示する。
【００１５】
電子楽器本体２は、コンピュータであり、図示されていないＣＰＵと記憶装置とを備えている。そのＣＰＵは、電子楽器本体２にインストールされるコンピュータプログラムを実行して、その記憶装置と演奏用入力装置５と設定用入力装置６とスピーカ７とディスプレイ８とを制御する。その記憶装置は、ＲＯＭまたはＲＡＭであり、そのコンピュータプログラムを記録し、そのＣＰＵにより生成される情報を一時的に記録する。電子楽器本体２は、そのコンピュータプログラムとして、見本曲データベース１１と判定基準データベース１２と演奏部１３と設定部１４と見本曲演奏部１５と演奏曲録音部１６と絶対評価部１７と評価出力部１８と評価基準更新部１９とがインストールされている。
【００１６】
見本曲データベース１１は、見本曲の楽曲データを記憶装置に記録している。その楽曲データは、ステップタイムにイベントを対応付けている。ステップタイムは、その見本曲の始まりからの時間を示している。そのイベントは、演奏用入力装置５が鍵盤であるときに、その鍵盤の鍵を打鍵することを示している。そのイベントは、ノートナンバとベロシティとゲートタイムとから形成されている。ノートナンバは、ステップタイムにより示される時刻に打鍵される鍵を識別する番号を示している。ベロシティは、ノートナンバにより示される鍵が打鍵される打鍵強度を示している。ゲートタイムは、ノートナンバにより示される鍵が打鍵されてから離鍵されるまでの時間を示している。
【００１７】
判定基準データベース１２は、判定基準を記憶装置に記録している。
【００１８】
演奏部１３は、演奏用入力装置５の操作に基づいて楽音をスピーカ７から発生させる。たとえば、演奏部１３は、演奏用入力装置５が鍵盤であるときに、その鍵盤のうちの打鍵された鍵に対応する音高の楽音をスピーカ７から出力する。演奏部１３は、さらに、打鍵された鍵が複数であるときに、その複数の鍵に対応する複数の楽音を同時に出力する。演奏部１３は、さらに、その鍵の打鍵強度に対応する効果をその楽音に付加し、たとえば、その打鍵強度が大きいほどその楽音の音量を大きくする。
【００１９】
設定部１４は、設定用入力装置６の操作に基づいて、演奏曲を演奏する演奏者を指定する。設定部１４は、さらに、設定用入力装置６の操作に基づいて、その演奏曲のお手本である見本曲を指定する。設定部１４は、さらに、設定用入力装置６の操作に基づいて、その演奏曲を演奏するときのテンポを指定する。設定部１４は、さらに、設定用入力装置６の操作に基づいて、演奏曲を演奏するときにメトロノームの音を発音するかどうかを選択する。設定部１４は、さらに、そのメトロノームの音を発音するときに、設定用入力装置６の操作に基づいて、各拍でどのような音を発音させるかを指定する。設定部１４は、さらに、設定用入力装置６の操作に基づいて、演奏曲を演奏するときに見本曲を自動演奏するかどうかを選択する。
【００２０】
見本曲演奏部１５は、設定用入力装置６のスタートボタンが押下されると、タイミングをディスプレイ８に表示する。そのタイミングは、演奏される演奏曲と比較される見本曲の始まりからの時間とその見本曲のうちの自動演奏されている小節の小節数と、その小説のうちの自動演奏されている拍数とを示している。見本曲演奏部１５は、さらに、設定部１４によりメトロノームの音を発生することが選択されたときに、設定部１４により指定されたテンポと各拍でどのような音を発音させるかとにしたがってメトロノームの音をスピーカ７から発音させる。見本曲演奏部１５は、設定部１４により自動演奏することが選択されたときに、設定部１４により指定された見本曲を自動演奏して、その見本曲をスピーカ７から発生させる。
【００２１】
演奏曲録音部１６は、演奏用入力装置５の操作に基づいて楽音をスピーカ７から発生させる。演奏曲録音部１６は、さらに、演奏用入力装置５が操作された操作内容を記憶装置に記録する。その操作内容は、ステップタイムにイベントを対応付けている。ステップタイムは、その演奏曲の始まりからの時間を示している。そのイベントは、演奏用入力装置５が鍵盤であるときに、その鍵盤の鍵を打鍵することを示している。そのイベントは、ノートナンバとベロシティとゲートタイムとから形成されている。ノートナンバは、ステップタイムにより示される時刻に打鍵される鍵を識別する番号を示している。ベロシティは、ノートナンバにより示される鍵が打鍵される強度を示している。ゲートタイムは、ノートナンバにより示される鍵が打鍵されてから離鍵されるまでの時間を示している。
【００２２】
絶対評価部１７は、演奏曲録音部１６により記録される操作内容を見本曲データベース１１により記録される楽曲データと比較して、演奏された演奏曲の絶対評価を算出する。その絶対評価は、すべての音符に関して、１つの音符が弾かれるべきタイミングとその音符が弾かれたタイミングとの誤差の分布を示し、１つの音符が弾かれるべき打鍵強度とその音符が弾かれた打鍵強度との誤差の分布を示している。
【００２３】
評価出力部１８は、判定基準データベース１２により記録された判定基準に基づいて絶対評価部１７により算出された絶対評価を出力評価に変換する。評価出力部１８は、さらに、その出力評価を示す画面を生成して、その画面をディスプレイ８に表示する。
【００２４】
評価基準更新部１９は、絶対評価部１７により算出された絶対評価の統計結果が所定の条件を満たすときに、判定基準データベース１２により記録された判定基準を更新する。その条件としては、最後に絶対評価部１７により所定の回数に渡って概ね等しい絶対評価が算出されること、最後に評価出力部１８により所定の回数に渡って概ね等しい出力評価が算出されることが例示される。たとえば、評価基準更新部１９は、評価出力部１８により算出される出力評価が所定の回数以上に等しく評価されたときに、同様の絶対評価が算出されても全く同様の出力評価が算出されないように判定基準を更新する。さらに詳細には、評価基準更新部１９は、その絶対評価が所定の基準よりよいことが所定の回数以上に続いたときに厳しくなるように判定基準を更新し、その絶対評価が所定の基準より悪いことが所定の回数以上に続いたときに緩やかになるように判定基準を更新する。
【００２５】
図２は、見本曲データベース１１により記録される見本曲テーブルを示している。その見本曲テーブル２１は、見本曲識別情報２２を楽曲データ２３に対応付けている。見本曲識別情報２２は、複数の見本曲を互いに識別し、見本曲の曲名を示している。楽曲データ２３は、見本曲識別情報２２により識別される見本曲の楽曲データを示している。すなわち、見本曲演奏部１５は、見本曲テーブル２１を参照して、設定部１４により指定された見本曲に対応する楽曲データに基づいて見本曲を自動演奏する。
【００２６】
図３は、評価出力部１８により生成される画面を示している。その画面４１は、複数の項目欄４２に複数の段階欄４３を対応付けている。項目欄４２には、それぞれ、演奏曲が評価される項目が表示される。その項目としては、「リズムの傾向」と「リズムのばらつき」と「大きなずれ／音抜け」と「ミスタッチ」と「タッチのばらつき」とが例示される。段階欄４３は、項目欄４２に示される項目に関して、良し悪しの程度を示す段階が表示される。
【００２７】
段階欄４３は、項目欄４２が「リズムの傾向」を示しているときに、全体的に早めのタイミングで演奏されたのか遅めのタイミングで演奏されたのかを示し、「パーフェクト！」と「リズムに乗れているよ。」と「少し走っているよ！」と「少し遅れているよ！」と「走っているよ！」と「遅れているよ！」とのうちのいずれかを示している。段階欄４３は、項目欄４２が「リズムのばらつき」を示しているときに、一定のリズムで弾けなかった音符がどの程度あるかを示し、「すばらしい！」と「正確に弾けているよ。」と「少しムラがあるよ！」と「ムラがあるよ！」とのうちのいずれかを示している。段階欄４３は、項目欄４２が「大きなずれ／音抜け」を示しているときに、見本曲を構成する音符のうちでタイミングが大きくずれた音符と弾かれなかった音符の個数を示している。段階欄４３は、項目欄４２が「ミスタッチ」を示しているときに、見本曲を構成する音符のうちで音を間違えた音符の個数を示している。段階欄４３は、項目欄４２が「タッチのばらつき」を示しているときに、タッチの強さがどの程度揃っているかを示し、「しっかりと弾けています。」と「揃えて弾きましょう。」とのうちのいずれかを示している。
【００２８】
図４は、判定基準データベース１２により記録される判定基準テーブルを示している。その判定基準テーブル３１は、ユーザ識別情報３２と見本曲識別情報３３とを絶対評価の統計結果３４と判定基準３５とに対応付けている。ユーザ識別情報３２は、電子楽器１により評価される演奏曲を演奏する演奏者を識別し、たとえば、その演奏者の氏名を示している。見本曲識別情報３３は、電子楽器１により評価される演奏曲のお手本である見本曲を識別し、その見本曲の曲名を示している。絶対評価の統計結果３４は、ユーザ識別情報３２により識別される演奏者により演奏される演奏曲と見本曲識別情報３３により識別される見本曲とが絶対評価部１７により比較されて算出された絶対評価の統計結果を示している。判定基準３５は、ユーザ識別情報３２により識別される演奏者により演奏される演奏曲と見本曲識別情報３３により識別される見本曲とが絶対評価部１７により比較されて算出された絶対評価を出力評価に変換するときに用いられる判定基準を示している。
【００２９】
その判定基準は、評価される項目を示している。評価出力部１８は、判定基準３５により示される項目とその項目に対応する段階だけが記載される画面を生成してディスプレイ８に表示する。その判定基準は、さらに、その項目毎に厳しさを示している。評価出力部１８は、その厳しさに基づいて、絶対評価部１７により算出された絶対評価をその項目の段階に変換する。たとえば、その厳しさは、項目が「大きなずれ／音抜け」であるときに、時間を示している。その時間は、初期的に３２部音符分の時間を示している。評価出力部１８は、ある音符が弾かれるべきタイミングの前後にその厳しさにより示される時間だけ広げた範囲にその音符が弾かれないときに、その音符をタイミングが大きくずれた音符と弾かなかった音符として計数する。
【００３０】
このとき、設定部１４は、判定基準テーブル３１のユーザ識別情報３２に記載される複数の演奏者の氏名をディスプレイ８に表示し、その複数の演奏者から設定用入力装置６の操作に基づいて選択された１人の演奏者を指定する。ユーザは、その複数の演奏者のうちに指定したい演奏者がいないときに、新たに演奏者の氏名を入力する。このとき、設定部１４は、判定基準テーブル３１のユーザ識別情報３２にその入力された演奏者の氏名を追加する。設定部１４は、判定基準テーブル３１の見本曲識別情報３３に記載される複数の見本曲の曲名をディスプレイ８に表示し、その複数の見本曲のうちから設定用入力装置６の操作に基づいて選択された１つの見本曲を指定する。
【００３１】
評価出力部１８は、判定基準テーブル３１を参照して、設定部１４により指定される演奏者と見本曲とに対応する判定基準に基づいて絶対評価部１７により算出された絶対評価を出力評価に変換する。絶対評価部１７は、設定部１４により指定される演奏者により演奏された演奏曲の絶対評価を算出する度に、判定基準テーブル３１の設定部１４により指定される演奏者と見本曲とに対応する絶対評価の統計結果を更新する。評価基準更新部１９は、判定基準テーブル３１を参照して、設定部１４により指定される演奏者と見本曲とに対応する絶対評価の統計結果が所定の条件を満たすときに、その演奏者と見本曲とに対応する判定基準を更新する。
【００３２】
電子楽器１の動作は、演奏する動作と評価する動作とを備えている。その演奏する動作では、電子楽器１は、演奏用入力装置５の操作に基づいて楽音をスピーカ７から発生させる。たとえば、電子楽器１は、演奏用入力装置５が鍵盤であるときに、その鍵盤のうちの打鍵された鍵に対応する楽音をスピーカ７から出力する。電子楽器１は、さらに、打鍵された鍵が複数であるときに、その複数の鍵に対応する複数の楽音を同時に出力する。電子楽器１は、さらに、その鍵の打鍵強度に対応する効果をその楽音に付加し、たとえば、その打鍵強度が大きいほどその楽音の音量を大きくする。
【００３３】
図５は、その評価する動作を示している。その評価する動作は、ユーザにより設定事項が指定されると実行される。すなわち、ユーザは、設定用入力装置６を操作して、電子楽器１により評価される演奏曲を演奏する演奏者を指定する。ユーザは、さらに、設定用入力装置６を操作して、電子楽器１により評価される演奏曲のお手本である見本曲を指定する。ユーザは、さらに、設定用入力装置６を操作して、その演奏曲を演奏するときのテンポを指定する。ユーザは、さらに、設定用入力装置６を操作して、電子楽器１を用いて演奏曲を評価するときにメトロノームの音を発音するかどうかを選択する。ユーザは、さらに、そのメトロノームの音を発音するときに、設定用入力装置６を操作して、各拍でどのような音を発音させるかを指定する。ユーザは、さらに、設定用入力装置６を操作して、電子楽器１を用いて演奏曲を評価するときに見本曲を自動演奏するかどうかを選択する。
【００３４】
電子楽器１は、設定用入力装置６のスタートボタンが押下されると、見本曲の始まりからの時間とその見本曲のうちの自動演奏されている小節の小節数と、その小説のうちの自動演奏されている拍数とをディスプレイ８に表示する。電子楽器１は、さらに、メトロノームの音を発生することが選択されたときに、ユーザにより指定されたテンポと各拍でどのような音を発音させるかとにしたがってメトロノームの音の発音を開始する（ステップＳ１）。
【００３５】
電子楽器１は、演奏曲が演奏されるときに演奏用入力装置５を用いて操作される操作内容を記録するための処理を実行する。電子楽器１は、ユーザにより自動演奏することが選択されたときに、指定された見本曲を自動演奏するための処理を実行する（ステップＳ２）。電子楽器１は、ステップＳ２の動作が完了すると、演奏用入力装置５を用いて操作される操作内容を記録し、自動演奏することが選択されたときに、指定された見本曲を自動演奏する（ステップＳ３）。ステップＳ２の動作は、ユーザによる演奏が終了し見本曲が終了するまで（ステップＳ４、ＹＥＳ）続けて実行される。
【００３６】
電子楽器１は、演奏曲が終了すると、その演奏曲とその見本曲とを比較して、すべての音符に関して、１つの音符が弾かれるべきタイミングとその音符が弾かれたタイミングとの誤差の分布と、１つの音符が弾かれるべき打鍵強度とその音符が弾かれた打鍵強度との誤差の分布とを算出し、（ステップＳ５）。判定基準テーブル３１のユーザにより指定された演奏者と見本曲とに対応する絶対評価の統計結果を更新する。電子楽器１は、判定基準テーブル３１を参照して、ユーザにより指定された演奏者と見本曲とに対応する判定基準に基づいて、絶対評価を出力評価に変換する。電子楽器１は、その出力評価を示す画面を生成してディスプレイ８に表示する（ステップＳ６）。
【００３７】
電子楽器１は、判定基準テーブル３１を参照して、ユーザにより指定された演奏者と見本曲とに対応する絶対評価の統計結果が所定の条件を満足するときに（ステップＳ７、ＹＥＳ）、判定基準テーブル３１のその演奏者と見本曲とに対応する判定基準を更新する（ステップＳ８）。たとえば、電子楽器１は、その絶対評価が所定の基準よりよいことが所定の回数以上に続いたときに厳しくなるように判定基準を更新し、その絶対評価が所定の基準より悪いことが所定の回数以上に続いたときに緩やかになるように判定基準を更新する。
【００３８】
このような評価する動作によれば、電子楽器１は、演奏者毎に、または、見本曲毎に評価することができる。電子楽器１は、さらに、同様に演奏された演奏曲に異なる評価をすることができ、たとえば、上級者に厳しく初級者に緩やかに評価することができる。その結果、ユーザは、優しすぎないで、かつ、厳しすぎないで適切に評価され、電子楽器１により出力される出力評価に飽きがきにくい。
【００３９】
本発明による電子楽器の実施の他の形態は、既述の実施の形態における見本曲データベース１１により記録される楽曲データが他の情報に置換され、演奏曲録音部１６により記録される操作内容が他の情報に置換されている。すなわち、見本曲データベース１１により記録される見本曲テーブル２１の楽曲データは、予め演奏された見本曲が録音された見本曲録音データを示している。演奏曲録音部１６は、演奏用入力装置５の操作に基づいてスピーカ７から発生させる楽音を録音した演奏曲録音データを記憶装置に記録する。絶対評価部１７は、その見本曲録音データとその演奏曲録音データとを比較して絶対評価を算出する。このときも、電子楽器は、既述の実施の形態と同様の効果を奏することができる。
【図面の簡単な説明】
【００４０】
【図１】図１は、本発明による電子楽器の実施の形態を示すブロック図である。
【図２】図２は、見本曲テーブルを示す図である。
【図３】図３は、画面を示す図である。
【図４】図４は、判定基準テーブルを示す図である。
【図５】図５は、評価する動作を示すフローチャートである。
【符号の説明】
【００４１】
１  ：電子楽器
２  ：電子楽器本体
５  ：演奏用入力装置
６  ：設定用入力装置
７  ：スピーカ
８  ：ディスプレイ
１１：見本曲データベース
１２：判定基準データベース
１３：演奏部
１４：設定部
１５：見本曲演奏部
１６：演奏曲録音部
１７：絶対評価部
１８：評価出力部
１９：評価基準更新部
２１：見本曲テーブル
２２：見本曲識別情報
２３：楽曲データ
３１：判定基準テーブル
３２：ユーザ識別情報
３３：見本曲識別情報
３４：絶対評価の統計結果
３５：判定基準
４１：画面
４２：項目欄
４３：段階欄
【図１】
2007078724.tif 000003
【図２】
2007078724.tif 000004
【図３】
2007078724.tif 000005
【図４】
2007078724.tif 000006
【図５】
2007078724.tif 000007